(57)【要約】【課題】無線ＬＡＮのための部材と無線映像受信のための部材とを共用化して一つのプリント基板上に形成してそのサイズを小さくしても、ノイズによる信号品質低下を効果的に抑えることができる無線受信装置を提供する。【解決手段】高周波回路部２２をプリント基板４０の表の面に設け、デジタル映像信号処理部２６と無線ＬＡＮ用デジタル信号処理部２７とをプリント基板４０の裏面に設ける。また、プリント基板４０の表の面と裏の面との中間の位置にアースパターンを配設し、そのアースパターンにより、高周波回路部２２と、デジタル映像信号処理部２６、無線ＬＡＮ用デジタル信号処理部２７とを電磁遮蔽する。【選択図】　図１
2004023614.tif 000002
【特許請求の範囲】
【請求項１】
受信した高周波信号をアナログ信号に変換する高周波回路部と、上記高周波回路部からのアナログ信号を２種類に切り換えるアナログ信号切り換え部と、上記アナログ信号切り換え部からのアナログ信号を映像データ用のベースバンド信号に変換する第１ベースバンド処理回路部と、上記アナログ信号切り換え部からのアナログ信号を無線ＬＡＮ用のベースバンド信号に変換する第２ベースバンド処理回路部と、上記第１ベースバンド処理回路部により得られるベースバンド信号をデジタル映像信号に変換するデジタル映像信号処理部と、上記第２ベースバンド処理回路部により得られるベースバンド信号を無線ＬＡＮ用デジタル信号に変換する無線ＬＡＮ用デジタル信号処理部と、上記デジタル映像信号および無線ＬＡＮ用デジタル信号をその出力先に出力するインターフェース回路部とがプリント基板上に設けられた無線受信装置において、
上記高周波回路部を上記プリント基板の表の面に設け、
上記デジタル映像信号処理部と上記無線ＬＡＮ用デジタル信号処理部とを上記プリント基板の裏面に設けることを特徴とする無線受信装置。
【請求項２】
プリント基板を３層以上が積層された構造とし、それぞれを第１層、第２層、・・・、第ｎ層（ｎは正の整数）とし、ａを２以上（ｎ−１）以下の整数とすると、
第１層の、外部を向いた面を上記表の面とし、
第ａ層にアースパターンを形成し、
第ｎ層の、外部を向いた面を上記裏の面とすることを特徴とする請求項１記載の無線受信装置。
【請求項３】
プリント基板を３層以上が積層された構造とし、それぞれを第１層、第２層、・・・、第ｎ層（ｎは正の整数）とし、ｂを２以上（ｎ−１）以下の整数とすると、
第１層の、外部を向いた面を上記表の面とし、
第ｂ層に電源パターンを形成し、
第ｎ層の、外部を向いた面を上記裏の面とすることを特徴とする請求項１記載の無線受信装置。
【請求項４】
プリント基板を３層以上が積層された構造とし、それぞれを第１層、第２層、・・・、第ｎ層（ｎは正の整数）とし、ｃを２以上（ｎ−１）以下の整数とすると、
第１層の、外部を向いた面を上記表の面とし、
第ｃ層に上記高周波回路部の信号パターンを形成し、
第ｎ層の、外部を向いた面を上記裏の面とすることを特徴とする請求項１記載の無線受信装置。
【請求項５】
上記インターフェース回路部を上記プリント基板の裏面に設け、
プリント基板を３層以上が積層された構造とし、それぞれを第１層、第２層、・・・、第ｎ層（ｎは正の整数）とし、ｄを２以上（ｎ−１）以下の整数とすると、
第１層の、外部を向いた面を上記表の面とし、
第ｄ層に上記インターフェース回路部の信号パターンを形成し、
第ｎ層の、外部を向いた面を上記裏の面とすることを特徴とする請求項１記載の無線受信装置。
【発明の詳細な説明】
【０００１】
【発明の属する技術分野】
本発明は、無線映像および無線ＬＡＮ信号を受信する無線受信装置に関するものである。
【０００２】
【従来の技術】
図４は、従来の無線映像システムの概略的構成を示すブロック回路図である。図４の従来の無線映像システム１４０は、無線映像送信装置１４１および無線映像受信装置１４２からなる。無線映像送信装置１４１は、無線映像送信機１５３およびアンテナ１５４からなり、無線映像受信装置１４２は、アンテナ１５５および無線映像受信機１５６からなる。
【０００３】
無線映像送信機１５３の入力側には、例えばビデオテープレコーダー（ＶＴＲ）１５２等が接続され、無線映像送信機１５３の出力側には、上記アンテナ１５４が接続されている。また、無線映像受信機１５６の入力側には、上記アンテナ１５５が接続され、無線映像受信機１５６の出力側には、例えばパーソナルコンピュータ（以下パソコンと称する）（ＰＣ）１５７およびモニター１５８が接続されている。
【０００４】
次に、図４の従来の無線映像システム１４０の動作について説明する。無線映像送信機１５３において、ビデオテープレコーダー（ＶＴＲ）１５２から出力された映像信号Ｐおよび音声信号Ｓは、無線映像送信機１５３により高周波信号ＲＦに変換されて、アンテナ１５４から無線映像受信機１５６へ送信される。
【０００５】
無線映像受信機１５６において、無線映像送信機１５３から送信された高周波信号ＲＦをアンテナ１５５で受信する。受信した高周波信号ＲＦは、無線映像受信機１５６によりもとの映像信号Ｐおよび音声信号Ｓに変換される。この映像信号Ｐおよび音声信号Ｓは、パソコン（ＰＣ）１５７のＡＶ入力に入力され、モニター１５８に表示される。
【０００６】
上述のように、無線映像システム１４０を用いることにより、例えばビデオテープレコーダー（ＶＴＲ）１５２等の映像と音声を離れた場所に設置された例えばパソコン（ＰＣ）１５７等で視聴することができる。また、ビデオテープレコーダー（ＶＴＲ）１５２に屋外アンテナを接続し、ビデオテープレコーダー（ＶＴＲ）１５２において、テレビジョン放送を選局し、選局したテレビジョン放送の映像信号Ｐおよび音声信号Ｓを出力するようにしておけば、屋内でテレビジョン信号を良好に受信できない場所においても、パソコン（ＰＣ）１５７にて前記テレビジョン放送を視聴することができる。
【０００７】
また、映像信号Ｐおよび音声信号Ｓを、無線映像送信機１５３から高周波信号ＲＦで無線映像受信機１５６へ送信するために、例えば高周波信号ＲＦの周波数帯域が２．４ＧＨｚ帯であり、スペクトラム拡散（Ｓｐｒｅａｄ　Ｓｐｅｃｔｒｕｍ）技術を用いている。一般にスペクトラム拡散技術を利用した通信方式においては、送信側で映像信号Ｐおよび音声信号Ｓ等の入力ベースバンド信号が変調され、さらに拡散符号を使用してスペクトラム拡散された後、高周波信号ＲＦとして送信される。そして、受信側で受信したスペクトラム拡散信号は、送信側と同一の拡散符号を使用して復調（逆拡散）されて、もとの映像信号Ｐおよび音声信号Ｓ等となる。また、パソコンにおいて無線ＬＡＮを使用するためには、前記と同じ、２．４ＧＨｚ帯であるスペクトラム拡散（Ｓｐｒｅａｄ　Ｓｐｅｃｔｒｕｍ）技術を用いる。
【０００８】
【発明が解決しようとする課題】
しかしながら、上記従来技術では、前記の映像信号Ｐおよび音声信号Ｓをパソコンに表示するためには、パソコン内部で再度、アナログ映像信号をデジタル映像信号に変換する必要があり、パソコン側の処理回路が大きくなる問題があった。
【０００９】
また、パソコンにおいて、無線ＬＡＮと前記無線映像受信機を同時に利用するためには、無線の干渉が起こる問題があった。
【００１０】
また、無線ＬＡＮと無線映像受信機を共用化するため、それぞれを構成する各回路を小面積の一つのプリント基板上に配設した場合、各回路間の信号の相互干渉、他回路からの異なる信号の混入等により、通信信号の欠落や誤り率の劣化を引き起こし、映像および音声を良好に送受信できないという問題が生じていた。
【００１１】
本発明は、上記問題点に鑑みなされたものであり、その目的は、無線ＬＡＮのための部材と無線映像受信のための部材とを共用化して一つのプリント基板上に形成してそのサイズを小さくしても、ノイズによる信号品質低下を効果的に抑えることができる無線受信装置を提供することにある。
【００１２】
【課題を解決するための手段】
上記の課題を解決するため、本発明の無線受信装置は、受信した高周波信号をアナログ信号に変換する高周波回路部と、上記高周波回路部からのアナログ信号を２種類に切り換えるアナログ信号切り換え部と、上記アナログ信号切り換え部からのアナログ信号を映像データ用のベースバンド信号に変換する第１ベースバンド処理回路部と、上記アナログ信号切り換え部からのアナログ信号を無線ＬＡＮ用のベースバンド信号に変換する第２ベースバンド処理回路部と、上記第１ベースバンド処理回路部により得られるベースバンド信号をデジタル映像信号に変換するデジタル映像信号処理部と、上記第２ベースバンド処理回路部により得られるベースバンド信号を無線ＬＡＮ用デジタル信号に変換する無線ＬＡＮ用デジタル信号処理部と、上記デジタル映像信号および無線ＬＡＮ用デジタル信号をその出力先に出力するインターフェース回路部とがプリント基板上に設けられた無線受信装置において、上記高周波回路部を上記プリント基板の表の面に設け、上記デジタル映像信号処理部と上記無線ＬＡＮ用デジタル信号処理部とを上記プリント基板の裏面に設けることを特徴としている。
【００１３】
上記の構成により、高周波回路部をプリント基板の表の面に設け、デジタル映像信号処理部と無線ＬＡＮ用デジタル信号処理部とをプリント基板の裏面に設ける。その結果、高周波回路部と、デジタル映像信号処理部および無線ＬＡＮ用デジタル信号処理部とがプリント基板の表裏に分離配設される。したがって、デジタル映像信号処理部と無線ＬＡＮ用デジタル信号処理部とから出るデジタル信号ノイズが高周波回路部に入るのを効果的に低減することができる。それゆえ、無線ＬＡＮのための部材と無線映像受信のための部材とを共用化して一つのプリント基板上に形成してそのサイズを小さくしても、ノイズによる信号品質低下を効果的に抑えることができる。
【００１４】
すなわち、各回路間の信号の相互干渉および他回路からの異なる信号およびノイズの混入等を効果的に低減させることで通信信号の欠落や誤り率の劣化を防止することにより、映像、音声および無線ＬＡＮのデータを良好に受信することができる。
【００１５】
また、本発明の無線受信装置は、上記の構成に加えて、プリント基板を３層以上が積層された構造とし、それぞれを第１層、第２層、・・・、第ｎ層（ｎは正の整数）とし、ａを２以上（ｎ−１）以下の整数とすると、第１層の、外部を向いた面を上記表の面とし、第ａ層にアースパターンを形成し、第ｎ層の、外部を向いた面を上記裏の面とすることを特徴としている。
【００１６】
上記の構成により、第１層と第ｎ層との間の第ａ層にアースパターンが形成される。したがって、プリント基板の表の面と裏の面との中間の位置にアースパターンを配設することになり、アースパターンにより、高周波回路部と、デジタル映像信号処理部、無線ＬＡＮ用デジタル信号処理部とを電磁遮蔽することができる。それゆえ、上記の構成による効果に加えて、プリント基板の表裏両面にそれぞれ配設された回路間の分離効果をさらに高めることができ、デジタル映像信号処理部、無線ＬＡＮ用デジタル信号処理部から発生するデジタル信号ノイズが前記高周波回路部に混入するなどの回路間の干渉をより効果的に低減できる。
【００１７】
また、本発明の無線受信装置は、上記の構成に加えて、プリント基板を３層以上が積層された構造とし、それぞれを第１層、第２層、・・・、第ｎ層（ｎは正の整数）とし、ｂを２以上（ｎ−１）以下の整数とすると、第１層の、外部を向いた面を上記表の面とし、第ｂ層に電源パターンを形成し、第ｎ層の、外部を向いた面を上記裏の面とすることを特徴としている。
【００１８】
上記の構成により、第１層と第ｎ層との間の第ｂ層に電源パターンが形成される。したがって、プリント基板の表の面と裏の面との中間の位置に電源パターンを配設することになり、電源パターンにより、高周波回路部と、デジタル映像信号処理部、無線ＬＡＮ用デジタル信号処理部とを電磁遮蔽することができる。それゆえ、上記の構成による効果に加えて、プリント基板の表裏両面にそれぞれ配設された回路間の分離効果をさらに高めることができ、デジタル映像信号処理部、無線ＬＡＮ用デジタル信号処理部から発生するデジタル信号ノイズが前記高周波回路部に混入するなどの回路間の干渉をより効果的に低減できる。
【００１９】
また、本発明の無線受信装置は、上記の構成に加えて、プリント基板を３層以上が積層された構造とし、それぞれを第１層、第２層、・・・、第ｎ層（ｎは正の整数）とし、ｃを２以上（ｎ−１）以下の整数とすると、第１層の、外部を向いた面を上記表の面とし、第ｃ層に上記高周波回路部の信号パターンを形成し、第ｎ層の、外部を向いた面を上記裏の面とすることを特徴としている。
【００２０】
上記の構成により、第１層と第ｎ層との間の第ｃ層に上記高周波回路部の信号パターンが形成される。したがって、プリント基板の表の面と裏の面との中間の位置に上記高周波回路部の信号パターンを配設することになり、この信号パターンにより、高周波回路部と、デジタル映像信号処理部、無線ＬＡＮ用デジタル信号処理部とを電磁遮蔽することができる。それゆえ、上記の構成による効果に加えて、プリント基板の表裏両面にそれぞれ配設された回路間の分離効果をさらに高めることができ、デジタル映像信号処理部、無線ＬＡＮ用デジタル信号処理部から発生するデジタル信号ノイズが前記高周波回路部に混入するなどの回路間の干渉をより効果的に低減できる。
【００２１】
また、本発明の無線受信装置は、上記の構成に加えて、上記インターフェース回路部を上記プリント基板の裏面に設け、プリント基板を３層以上が積層された構造とし、それぞれを第１層、第２層、・・・、第ｎ層（ｎは正の整数）とし、ｄを２以上（ｎ−１）以下の整数とすると、第１層の、外部を向いた面を上記表の面とし、第ｄ層に上記インターフェース回路部の信号パターンを形成し、第ｎ層の、外部を向いた面を上記裏の面とすることを特徴としている。
【００２２】
上記の構成により、インターフェース回路部がプリント基板の裏面に設けられる。そして、第１層と第ｎ層との間の第ｄ層に上記インターフェース回路部の信号パターンが形成される。したがって、プリント基板の表の面と裏の面との中間の位置に上記インターフェース回路部の信号パターンを配設することになり、この信号パターンにより、高周波回路部と、デジタル映像信号処理部、無線ＬＡＮ用デジタル信号処理部およびインターフェース回路部とを電磁遮蔽することができる。それゆえ、上記の構成による効果に加えて、プリント基板の表裏両面にそれぞれ配設された回路間の分離効果をさらに高めることができ、デジタル映像信号処理部、無線ＬＡＮ用デジタル信号処理部およびインターフェース回路部から発生するデジタル信号ノイズが前記高周波回路部に混入するなどの回路間の干渉をより効果的に低減できる。
【００２３】
【発明の実施の形態】
本発明の実施の一形態について図１ないし図３に基づいて説明すれば、以下の通りである。
【００２４】
本実施の形態は、パーソナルコンピュータ（以下パソコンと称する）における無線ＬＡＮ（ローカルエリアネットワーク）の受信と無線映像受信とを行う無線受信装置である。
【００２５】
図２は、本実施形態の無線受信装置２０の概略的構成を示すものである。無線受信装置２０は、アンテナ部２１、高周波回路部２２、アナログ信号切り換え部２３、ベースバンド処理回路部Ａ２４（第１ベースバンド処理回路部）、ベースバンド処理回路部Ｂ２５（第２ベースバンド処理回路部）、デジタル映像信号処理部２６、無線ＬＡＮ用デジタル信号処理部２７、インターフェース回路部２８からなる。
【００２６】
アンテナ部２１は、高周波回路部２２の入力側に接続され、高周波回路部２２の出力側は、アナログ信号切り換え部２３を介して、ベースバンド処理回路部Ａ２４とベースバンド処理回路部Ｂ２５のそれぞれの入力側に接続されている。また、ベースバンド処理回路部Ａ２４はデジタル映像信号処理部２６、ベースバンド処理回路部Ｂ２５は無線ＬＡＮ用デジタル信号処理部２７に接続される。デジタル映像信号処理部２６および無線ＬＡＮ用デジタル信号処理部２７はインターフェース回路部２８に接続されている。このインターフェース回路部２８を介してデジタル映像のデータまたは無線ＬＡＮのデータをパソコン（図示せず）に伝送する。
【００２７】
アンテナ部２１は、アンテナのコネクタであり、無線受信装置２０に含まれ、プリント基板４０上に載っている。
【００２８】
インターフェース回路部２８は、図１に示すインターフェース２９へ信号を送るものである。インターフェース２９はパソコンとの接続端子である。
【００２９】
高周波回路部２２、アナログ信号切り換え部２３、ベースバンド処理回路部Ａ２４、デジタル映像信号処理部２６、インターフェース回路部２８によって無線映像受信機が構成されている。
【００３０】
高周波回路部２２、アナログ信号切り換え部２３、ベースバンド処理回路部Ｂ２５、無線ＬＡＮ用デジタル信号処理部２７、インターフェース回路部２８によって無線ＬＡＮ信号受信機が構成されている。
【００３１】
次に、図２の本実施形態の無線受信装置２０の動作について説明する。無線受信装置２０において、前述の無線映像送信機１５３のような無線映像送信機からの高周波信号をアンテナ部２１から受信し、入力された高周波信号は、高周波回路部２２によって、パケット化されたアナログ信号に変換される。前記アナログ信号は、アナログ信号切り換え部２３により、ベースバンド処理回路部Ａ２４に供給され、パケット化されたベースバンド信号に変換される。前記パケット化されたベースバンド信号は、デジタル映像信号処理部２６で、圧縮されているデジタル映像信号に変換される。前記圧縮されているデジタル映像信号は、インターフェース回路部２８に入力され、パソコンのインターフェースに変換され、パソコンにデータを転送する。パソコン側では、映像再生用のソフトウェアによりパソコンのモニターに映像を表示すると共に、音声をスピーカーから出力する。
【００３２】
また、無線ＬＡＮとして機能する場合には、インターフェース回路部２８からの制御により、高周波回路部２２からのアナログ信号をベースバンド処理回路部Ｂ２５へ供給するよう、アナログ信号切り換え部２３を切り換えることで、無線ＬＡＮ用デジタル信号処理部２７で無線ＬＡＮ用のデータを生成し、インターフェース回路部２８を介して、パソコンに無線ＬＡＮ用のデータを転送する。
【００３３】
図１は、本実施形態の無線受信装置２０のプリント基板４０上の各回路の配設を示すものであり、図１（ａ）は前記プリント基板４０の平面の一方の面（表面）から見たものであり、図１（ｂ）は前記プリント基板４０の平面の他方の面（裏面）から見たものである。次に、図１を用いて、本実施形態の無線受信装置２０のプリント基板４０上における各回路の配設について説明する。
【００３４】
図１（ａ）および図１（ｂ）は、図２で説明した無線受信装置２０と同じ回路構成を、略四角形状のプリント基板４０の表裏両面に配設した様子を示したものである。
【００３５】
図１（ａ）に示すように、前記プリント基板４０の一方の面（表面）に、アンテナ部２１、前記高周波回路部２２、アナログ信号切り換え部２３、ベースバンド処理回路部Ａ２４が配設され、図１（ｂ）に示すように、前記プリント基板４０の他方の面（裏面）に、ベースバンド処理回路部Ｂ２５、デジタル映像信号処理部２６、無線ＬＡＮ用デジタル信号処理部２７、インターフェース回路部２８が配設されている。
【００３６】
前記プリント基板４０の表面において、前記プリント基板４０の第１の辺３１に近接して前記高周波回路部２２が配設されている。
【００３７】
また、前記プリント基板４０の表面において、面積を２分（例えば二等分）し、前記プリント基板４０の第１の辺３１側に高周波回路部２２、第１の辺３１と反対側の第３の辺３３側にアナログ信号切り換え部２３とベースバンド処理回路部Ａ２４が配設されている。
【００３８】
また、前記プリント基板４０の裏面において、前記プリント基板４０の第２の辺３２と第３の辺３３に近接して前記デジタル映像信号処理部２６が配設され、第１の辺３１と第４の辺３４に近接して前記無線ＬＡＮ用デジタル信号処理部２７が配設されている。
【００３９】
また、前記プリント基板４０の裏面において、前記プリント基板４０の第３の辺３３と第４の辺３４に近接して前記インターフェース回路部２８が配設されている。また、前記プリント基板４０の裏面において、前記プリント基板４０の第１の辺３１と第２の辺３２に近接して前記ベースバンド処理回路部Ｂ２５が配設されている。
【００４０】
また、前記プリント基板４０の裏面において、前記プリント基板４０の第４の辺３４にパソコンとのインターフェース２９を配置し、前記プリント基板４０の表面において、第４の辺３４とは反対側の第２の辺３２にアンテナ用のコネクタであるアンテナ部２１が配設されている。
【００４１】
また、前記プリント基板４０において、多層板（例えば６層）を用い、中間層（例えば３層目）に、接地部と各回路部との接続に係わる金属パターンであるアースパターンを設けるようにすることができる。この層の層番号をａ（整数）とし、全層数をｎ（正の整数）とすると、１＜ａ＜ｎである。
【００４２】
また、前記プリント基板４０において、多層板（例えば６層）を用い、中間層（例えば４層目）に、電源と電源の供給先である各回路部との接続に係わる金属パターンである電源パターンを設けるようにすることができる。この層の層番号をｂ（整数）とし、全層数をｎ（正の整数）とすると、１＜ｂ＜ｎである。
【００４３】
また、前記プリント基板４０において、多層板（例えば６層）を用い、中間層（例えば２層目）に高周波回路部２２に係る信号パターンを配置するようにすることができる。この層の層番号をｃ（整数）とし、全層数をｎ（正の整数）とすると、１＜ｃ＜ｎである。
【００４４】
また、前記プリント基板４０において、多層板（例えば６層）を用い、中間層（例えば５層目）にインターフェース回路部２８に係る信号パターンを配置するようにすることができる。この層の層番号をｄ（整数）とし、全層数をｎ（正の整数）とすると、１＜ｄ＜ｎである。
【００４５】
また、前記プリント基板４０において、多層板（例えば６層）を用い、中間層にデジタル映像信号処理部２６に係る信号パターンや無線ＬＡＮ用デジタル信号処理部２７の信号パターンを配置するようにすることができる。この層の層番号をｅ（整数）とし、全層数をｎ（正の整数）とすると、１＜ｅ＜ｎである。
【００４６】
このような構成について述べる。図３は図１（ａ）の矢視断面図である。プリント基板４０は、多層構造を有している。すなわち、表の側の最も外側の層（第１層）と裏の側の最も外側の層（第ｎ層）との間に、一つ以上の中間層（第２層〜第（ｎ−１）層）を有している。各層は、絶縁層５０で仕切られている。表側から順に第１層、第２層、・・・、第ｎ層とする（ｎは正の整数）。この例ではｎ＝６である。すなわち、６層からなる。第１層５１ないし第６層５６は金属である。
【００４７】
第１層５１は、表の面側で外部に露出した層である。その外側を向いている面に、高周波回路部２２、アナログ信号切り換え部２３、ベースバンド処理回路部Ａ２４、アンテナ部２１が配設されている。
【００４８】
第２層５２は、領域５２ａと領域５２ｂとからなる。領域５２ａは、高周波回路部２２に対向する部位に位置している。領域５２ａには、高周波回路部２２の信号パターンが設けられている。領域５２ｂは、アナログ信号切り換え部２３に対向する部位に位置している。領域５２ｂには、アナログ信号切り換え部２３の信号パターンが設けられている。
【００４９】
第３層５３には、アースパターンが設けられている。
【００５０】
第４層５４には、電源パターンが設けられている。
【００５１】
第５層５５は、領域５５ａと領域５５ｂとからなる。領域５５ａは、無線ＬＡＮ用デジタル信号処理部２７に対向する部位に位置している。領域５５ａには、無線ＬＡＮ用デジタル信号処理部２７の信号パターンが設けられている。領域５５ｂは、インターフェース回路部２８に対向する部位に位置している。領域５５ｂには、インターフェース回路部２８の信号パターンが設けられている。
【００５２】
第６層５６は、裏の面側で外部に露出した層である。その外側を向いている面に、無線ＬＡＮ用デジタル信号処理部２７、インターフェース回路部２８、デジタル映像信号処理部２６、ベースバンド処理回路部Ｂ２５が配設されている。
【００５３】
このように、ここでは、上記アースパターン（第３層５３）、電源パターン（第４層５４）、各信号パターン（第２層５２、第５層５５）を、別々の中間層にそれぞれ設けている。また、上記アースパターン、電源パターン、各信号パターンは、上記の位置に設ける代わりに、配置を入れ替えて、他の中間層に設けるようにすることもできる。
【００５４】
図１や図３に示したような構造は、プリント基板４０上に各種信号パターンや回路を積層する公知の半導体回路製造技術にて製造することが可能である。
【００５５】
本実施の形態では、このように、高周波回路部２２をプリント基板４０の表の面に設け、デジタル映像信号処理部２６と無線ＬＡＮ用デジタル信号処理部２７とをプリント基板４０の裏面に設ける。したがって、デジタル映像信号処理部２６と無線ＬＡＮ用デジタル信号処理部２７とから出るデジタル信号ノイズが高周波回路部２２に入るのを効果的に低減することができる。それゆえ、無線ＬＡＮのための部材と無線映像受信のための部材とを共用化して一つのプリント基板４０上に形成してそのサイズを小さくしても、ノイズによる信号品質低下を効果的に抑えることができる。
【００５６】
このように、各回路を回路ブロック毎に分離し、無線ＬＡＮと無線映像受信機で回路の共用化を図り、プリント基板上での各回路ブロックの配設方法に工夫をこらすことにより、各回路間の信号の相互干渉および他回路からの異なる信号の混入等を低減させることで通信信号の欠落や誤り率の劣化を防止し、映像、音声および無線ＬＡＮのデータを良好に受信できる無線映像送受信システムを提供することができる。
【００５７】
本発明は、映像無線送信機が送信した高周波信号をアナログ信号に変換する高周波回路部と、前記高周波回路部からのアナログ信号を２種類のベースバンド処理回路部へ切り換えるためのアナログ信号切り換え部と、前記アナログ信号切り換え部からのアナログ信号を映像データ用のベースバンド信号に変換するベースバンド処理回路部Ａと、前記アナログ信号切り換え部からのアナログ信号を無線ＬＡＮ用のベースバンド信号に変換するベースバンド処理回路部Ｂと、前記ベースバンド処理回路部Ａからのベースバンド信号をデジタル映像信号に変換するデジタル映像信号処理部と、前記ベースバンド処理回路部Ｂからのベースバンド信号を無線ＬＡＮ用デジタル信号に変換する無線ＬＡＮ用デジタル信号処理部と、前記デジタル映像信号と前記無線ＬＡＮ用デジタル信号をパソコンにインターフェースするインターフェース回路部からなる無線映像システムであって、前記プリント基板の一方の面に、前記高周波回路部、アナログ信号切り換え部、ベースバンド処理回路部Ａが配設され、前記プリント基板の他方の面に、デジタル映像信号処理部、無線ＬＡＮ用デジタル信号処理部、インターフェース回路部が配設されているように構成することができる。
【００５８】
また、前記プリント基板の表面において、前記プリント基板の第１の辺に近接して前記高周波回路部が配設されているように構成することができる。
【００５９】
また、前記プリント基板の裏面において、前記プリント基板の第２の辺と第３の辺に近接して前記デジタル映像信号処理部が配設され、第１の辺と第４の辺に近接して前記無線ＬＡＮ用デジタル信号処理部が配設されているように構成することができる。
【００６０】
また、前記プリント基板の裏面において、前記プリント基板の第３の辺と第４の辺に近接して前記インターフェース回路部が配設されているように構成することができる。
【００６１】
また、前記プリント基板の裏面において、前記プリント基板の第４の辺にパソコンとのインターフェースを配置し、前記プリント基板の表面において、第４の辺に反対側の第２の辺にアンテナ部（アンテナ用のコネクタ）が配設されているように構成することができる。
【００６２】
また、前記プリント基板の表面において、面積を２分にし、前記プリント基板の第１の辺側に高周波回路部、第１の辺と反対側の第３の辺側にベースバンド処理回路部Ａが配設されているように構成することができる。
【００６３】
また、前記プリント基板において、多層板を用い、中間層のうちの１層にアースパターンを設け、前記プリント基板の表面の高周波回路部と前記プリント基板の裏面のインターフェース回路部との干渉を抑えることができるように構成することができる。また、前記プリント基板において、多層板は６層を用い、３層目にアースパターンを設けたように構成することができる。
【００６４】
すなわち、前記表面層に配設された前記高周波回路部、ベースバンド処理回路部Ａと、前記裏面層に配設されたデジタル映像信号処理部、無線ＬＡＮ用デジタル信号処理部、インターフェース回路部とを、前記中間層に配設された前記アースパターンにより電磁遮蔽することにより、プリント基板の表裏両面にそれぞれ配設された回路間の分離効果をさらに高めることができる。すなわち、前記高周波回路部とデジタル信号を扱う前記デジタル映像信号処理部、無線ＬＡＮ用デジタル信号処理部とをプリント基板の表裏に分離配設し、さらに前記アースパターンにより電磁遮蔽することにより、前記デジタル映像信号処理部、無線ＬＡＮ用デジタル信号処理部から発生するデジタル信号ノイズが前記高周波回路部に混入することをより効果的に低減できる。上述のように、各回路間の信号の相互干渉および他回路からの異なる信号およびノイズの混入等をより効果的に低減させることで通信信号の欠落や誤り率の劣化を防止することにより、映像、音声および無線ＬＡＮのデータをより良好に受信できる無線映像システムを提供することができる。
【００６５】
また、前記プリント基板において、多層板を用い、中間層のうちの１層に電源パターンを設け、前記プリント基板の表面の高周波回路部と前記プリント基板の裏面のインターフェース回路部との干渉を抑えることができるように構成することができる。また、前記プリント基板において、多層板は６層を用い、４層目に電源パターンを設けたように構成することができる。
【００６６】
すなわち、前記表面層に配設された前記高周波回路部、ベースバンド処理回路部Ａと、前記裏面層に配設されたデジタル映像信号処理部、無線ＬＡＮ用デジタル信号処理部、インターフェース回路部とを、前記中間層に配設された、電源と電源の供給先である各回路部との接続に係わる電源パターンにより電磁遮蔽することにより、プリント基板の表裏両面にそれぞれ配設された回路間の分離効果をさらに高めることができる。すなわち、前記高周波回路部とデジタル信号を扱う前記デジタル映像信号処理部、無線ＬＡＮ用デジタル信号処理部とをプリント基板の表裏に分離配設し、さらに前記電源パターンにより電磁遮蔽することにより、前記デジタル映像信号処理部、無線ＬＡＮ用デジタル信号処理部から発生するデジタル信号ノイズが前記高周波回路部に混入することをより効果的に低減できる。上述のように、各回路間の信号の相互干渉および他回路からの異なる信号およびノイズの混入等をより効果的に低減させることで通信信号の欠落や誤り率の劣化を防止することにより、映像、音声および無線ＬＡＮのデータをより良好に受信できる無線映像システムを提供することができる。
【００６７】
また、前記裏面層と前記アースパターンが配設された中間層とに挟まれた他の中間層の少なくとも１層に、電源を供給する各回路部との接続に係わる電源パターンが配設されているようにすることができる。このような構成によれば、前記高周波回路部とデジタル信号を扱う前記デジタル映像信号処理部、無線ＬＡＮ用デジタル信号処理部とをプリント基板の表裏に分離配設し、さらに前記アースパターンおよび前記中間層に配設された前記電源パターンの両パターンにより二重に電磁遮蔽することにより、プリント基板の表裏両面にそれぞれ配設された回路間の分離効果をさらに高めることができる。したがって、前記高周波回路部とデジタル信号を扱う前記デジタル映像信号処理部、無線ＬＡＮ用デジタル信号処理部とをプリント基板の表裏に分離配設し、さらに前記アースパターンおよび前記電源パターンの両パターンにより二重に電磁遮蔽することにより、前記デジタル映像信号処理部、無線ＬＡＮ用デジタル信号処理部から発生するデジタル信号ノイズが前記高周波回路部に混入することをより効果的に低減できる。上述のように、各回路間の信号の相互干渉および他回路からの異なる信号およびノイズの混入等をさらにより効果的に低減させることで通信信号の欠落や誤り率の劣化を防止することにより、映像、音声および無線ＬＡＮのデータをさらにより良好に送信できる無線映像システムを提供することができる。
【００６８】
また、前記裏面層と前記アースパターンが配設された中間層とに挟まれた他の中間層の少なくとも１層に、前記デジタル信号を扱う前記デジタル映像信号処理部や無線ＬＡＮ用デジタル信号処理部に係わる信号パターンが配設されているようにすることができる。このような構成によれば、デジタル信号を扱う前記デジタル映像信号処理部や無線ＬＡＮ用デジタル信号処理部に係わる信号パターンを前記中間層に配設することにより、前記信号パターンから放射されるデジタル信号ノイズを低減することができる。
【００６９】
また、前記プリント基板において、多層板を用い、中間層のうちの１層に高周波回路部に係る信号パターンを配置するように構成することができる。また、前記プリント基板において、多層板は６層を用い、２層目に高周波回路部に係る信号パターンを配置するように構成することができる。
【００７０】
すなわち、前記表面層に配設された前記高周波回路部、ベースバンド処理回路部Ａと、前記裏面層に配設されたデジタル映像信号処理部、無線ＬＡＮ用デジタル信号処理部、インターフェース回路部とを、前記中間層に配設された、高周波回路部の信号パターンにより電磁遮蔽することにより、プリント基板の表裏両面にそれぞれ配設された回路間の分離効果をさらに高めることができる。すなわち、前記高周波回路部とデジタル信号を扱う前記デジタル映像信号処理部、無線ＬＡＮ用デジタル信号処理部とをプリント基板の表裏に分離配設し、さらに前記高周波回路部の信号パターンにより電磁遮蔽することにより、前記デジタル映像信号処理部、無線ＬＡＮ用デジタル信号処理部から発生するデジタル信号ノイズが前記高周波回路部に混入することをより効果的に低減できる。上述のように、各回路間の信号の相互干渉および他回路からの異なる信号およびノイズの混入等をより効果的に低減させることで通信信号の欠落や誤り率の劣化を防止することにより、映像、音声および無線ＬＡＮのデータをより良好に受信できる無線映像システムを提供することができる。
【００７１】
また、前記プリント基板において、多層板を用い、中間層のうちの１層にインターフェース回路部に係る信号パターンを配置するように構成することができる。また、前記プリント基板において、多層板は６層を用い、５層目にインターフェース回路部に係る信号パターンを配置するように構成することができる。
【００７２】
すなわち、前記表面層に配設された前記高周波回路部、ベースバンド処理回路部Ａと、前記裏面層に配設されたデジタル映像信号処理部、無線ＬＡＮ用デジタル信号処理部、インターフェース回路部とを、前記中間層に配設された、インターフェース回路部の信号パターンにより電磁遮蔽することにより、プリント基板の表裏両面にそれぞれ配設された回路間の分離効果をさらに高めることができる。すなわち、前記高周波回路部とデジタル信号を扱う前記デジタル映像信号処理部、無線ＬＡＮ用デジタル信号処理部とをプリント基板の表裏に分離配設し、さらに前記インターフェース回路部の信号パターンにより電磁遮蔽することにより、前記デジタル映像信号処理部、無線ＬＡＮ用デジタル信号処理部から発生するデジタル信号ノイズが前記高周波回路部に混入することをより効果的に低減できる。上述のように、各回路間の信号の相互干渉および他回路からの異なる信号およびノイズの混入等をより効果的に低減させることで通信信号の欠落や誤り率の劣化を防止することにより、映像、音声および無線ＬＡＮのデータをより良好に受信できる無線映像システムを提供することができる。
【００７３】
また、前記無線映像システムは、高周波信号の周波数帯域が２．４ＧＨｚ帯であり、スペクトラム拡散技術を用いてなるように構成することができる。
【００７４】
【発明の効果】
以上のように、本発明の無線受信装置は、上記高周波回路部を上記プリント基板の表の面に設け、上記デジタル映像信号処理部と上記無線ＬＡＮ用デジタル信号処理部とを上記プリント基板の裏面に設ける構成である。
【００７５】
これにより、デジタル映像信号処理部と無線ＬＡＮ用デジタル信号処理部とから出るデジタル信号ノイズが高周波回路部に入るのを効果的に低減することができる。それゆえ、無線ＬＡＮのための部材と無線映像受信のための部材とを共用化して一つのプリント基板上に形成してそのサイズを小さくしても、ノイズによる信号品質低下を効果的に抑えることができるという効果を奏する。
【００７６】
また、本発明の無線受信装置は、上記の構成に加えて、プリント基板を３層以上が積層された構造とし、それぞれを第１層、第２層、・・・、第ｎ層（ｎは正の整数）とし、ａを２以上（ｎ−１）以下の整数とすると、第１層の、外部を向いた面を上記表の面とし、第ａ層にアースパターンを形成し、第ｎ層の、外部を向いた面を上記裏の面とする構成である。
【００７７】
これにより、高周波回路部と、デジタル映像信号処理部、無線ＬＡＮ用デジタル信号処理部とを電磁遮蔽することができる。それゆえ、上記の構成による効果に加えて、プリント基板の表裏両面にそれぞれ配設された回路間の分離効果をさらに高めることができ、デジタル映像信号処理部、無線ＬＡＮ用デジタル信号処理部から発生するデジタル信号ノイズが前記高周波回路部に混入するなどの回路間の干渉をより効果的に低減できるという効果を奏する。
【００７８】
また、本発明の無線受信装置は、上記の構成に加えて、プリント基板を３層以上が積層された構造とし、それぞれを第１層、第２層、・・・、第ｎ層（ｎは正の整数）とし、ｂを２以上（ｎ−１）以下の整数とすると、第１層の、外部を向いた面を上記表の面とし、第ｂ層に電源パターンを形成し、第ｎ層の、外部を向いた面を上記裏の面とする構成である。
【００７９】
これにより、高周波回路部と、デジタル映像信号処理部、無線ＬＡＮ用デジタル信号処理部とを電磁遮蔽することができる。それゆえ、上記の構成による効果に加えて、プリント基板の表裏両面にそれぞれ配設された回路間の分離効果をさらに高めることができ、デジタル映像信号処理部、無線ＬＡＮ用デジタル信号処理部から発生するデジタル信号ノイズが前記高周波回路部に混入するなどの回路間の干渉をより効果的に低減できるという効果を奏する。
【００８０】
また、本発明の無線受信装置は、上記の構成に加えて、プリント基板を３層以上が積層された構造とし、それぞれを第１層、第２層、・・・、第ｎ層（ｎは正の整数）とし、ｃを２以上（ｎ−１）以下の整数とすると、第１層の、外部を向いた面を上記表の面とし、第ｃ層に上記高周波回路部の信号パターンを形成し、第ｎ層の、外部を向いた面を上記裏の面とする構成である。
【００８１】
これにより、高周波回路部と、デジタル映像信号処理部、無線ＬＡＮ用デジタル信号処理部とを電磁遮蔽することができる。それゆえ、上記の構成による効果に加えて、プリント基板の表裏両面にそれぞれ配設された回路間の分離効果をさらに高めることができ、デジタル映像信号処理部、無線ＬＡＮ用デジタル信号処理部から発生するデジタル信号ノイズが前記高周波回路部に混入するなどの回路間の干渉をより効果的に低減できるという効果を奏する。
【００８２】
また、本発明の無線受信装置は、上記の構成に加えて、上記インターフェース回路部を上記プリント基板の裏面に設け、プリント基板を３層以上が積層された構造とし、それぞれを第１層、第２層、・・・、第ｎ層（ｎは正の整数）とし、ｄを２以上（ｎ−１）以下の整数とすると、第１層の、外部を向いた面を上記表の面とし、第ｄ層に上記インターフェース回路部の信号パターンを形成し、第ｎ層の、外部を向いた面を上記裏の面とする構成である。
【００８３】
これにより、高周波回路部と、デジタル映像信号処理部、無線ＬＡＮ用デジタル信号処理部およびインターフェース回路部とを電磁遮蔽することができる。それゆえ、上記の構成による効果に加えて、プリント基板の表裏両面にそれぞれ配設された回路間の分離効果をさらに高めることができ、デジタル映像信号処理部、無線ＬＡＮ用デジタル信号処理部およびインターフェース回路部から発生するデジタル信号ノイズが前記高周波回路部に混入するなどの回路間の干渉をより効果的に低減できるという効果を奏する。
【図面の簡単な説明】
【図１】本発明の無線受信装置におけるプリント基板上の各回路の配設例を示す平面図であり、図１（ａ）は表の面から見たものであり、図１（ｂ）は裏の面から見たものである。
【図２】本発明の無線受信装置の概略的構成例を示すブロック回路図である。
【図３】図１（ａ）の矢視断面図である。
【図４】従来の無線映像システムの概略的構成例を示すブロック回路図である。
【符号の説明】
２０　　無線受信装置
２１　　アンテナ部
２２　　高周波回路部
２３　　アナログ信号切り換え部
２４　　ベースバンド処理回路部Ａ
２５　　ベースバンド処理回路部Ｂ
２６　　デジタル映像信号処理部
２７　　無線ＬＡＮ用デジタル信号処理部
２８　　インターフェース回路部
２９　　インターフェース
３１　　第１の辺
３２　　第２の辺
３３　　第３の辺
３４　　第４の辺
４０　　プリント基板
５０　　絶縁層
５１　　第１層
５２　　第２層
５２ａ、５２ｂ　　領域
５３　　第３層
５４　　第４層
５５　　第５層
５５ａ、５５ｂ　　領域
５６　　第６層
【図１】
2004023614.tif 000003
【図２】
2004023614.tif 000004
【図３】
2004023614.tif 000005
【図４】
2004023614.tif 000006